(57)【特許請求の範囲】
【請求項１】
磁気カードをカード挿入口から筐体内に受け入れ、前記磁気カードに磁気記録されているカードデータを磁気ヘッドを用いて読み取り、該読み取ったカードデータを含む情報を通信回線を介して所定のセンタに送信して認証を受けるＣＡＴ端末機において、
前記筐体内に受け入れた磁気カードの表面にエンボス加工によって凹凸表示されている文字列の長辺側エッジから所定距離の凹凸を検出する凹凸センサと、
前記凹凸センサからの信号に基づいて、前記磁気カードの前記長辺側エッジから所定距離の凹凸の特徴を表す特徴データとして、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータを検出する特徴データ検出手段と、
前記磁気ヘッドを用いて読み取ったカードデータに前記特徴データ検出手段によって検出された特徴データと一致するデータが含まれているか否かを判定する判定手段とを有し、
前記判定手段によって前記カードデータに特徴データと一致するデータが含まれていると判定されたときのみ、前記所定のセンタに対して認証のための通信を行うように構成されていることを特徴とするＣＡＴ端末機。
【請求項２】
前記磁気ヘッドのケース内に、該磁気ヘッドの本体部から出力される信号を受けて前記磁気カードに記録されているカードデータを復調する復調手段と、該復調手段によって復調されたカードデータを暗号化して前記ケースの外へ出力する暗号化手段とが設けられており、
前記暗号化手段によって暗号化されたデータを復号して前記判定手段に出力する復号手段が、少なくとも前記判定手段とともに１チップ化された集積回路によって形成されていることを特徴とする請求項１記載のＣＡＴ端末機。
【発明の詳細な説明】
【０００１】
【発明の属する技術分野】
本発明は、クレジットカード等の磁気カードに対する認証処理を行うためのＣＡＴ端末機において、不正なカードの利用を防止し、カードデータが不正に取得されることを防止するための技術に関する。
【０００２】
【従来の技術】
店舗等でクレジットカードによる支払いを行う場合に、その店舗に設けられたＣＡＴ端末機を用いている。
【０００３】
ＣＡＴ端末機は、挿入されたクレジットカードに磁気記録されているカードデータを読み取り、所定のセンタへ送信してそのカードの利用が可能か否かの認証を受けている。
【０００４】
図１０は、このような目的で使用される従来のＣＡＴ端末機１０の概略構成を示している。
【０００５】
このＣＡＴ端末機１０は、図示しない筐体の表面に設けられたカード挿入口１１から挿入された磁気カード１を内部に引き込んで所定の搬送路１２に沿って搬送し、この搬送路１２に設けられた磁気ヘッド１３によって磁気カード１の磁気記録面の磁気変化を検出し、この検出信号を復調回路１４に入力して磁気カード１に磁気記録されているカードデータを復調する。
【０００６】
復調されたカードデータを受けた処理部１５は、このカードデータを含む認証に必要な情報を回線インタフェース１６および通信回線５を介して所定のセンタ（図示せず）へ送信して認証を受ける。
【０００７】
【発明が解決しようとする課題】
しかしながら、上記のように構成された従来のＣＡＴ端末機１０では、正規の磁気カードに記録されているカードデータを他の磁気カードに複写して作成された不正なカードが利用される恐れがある。
【０００８】
また、ＣＡＴ端末機自体に対する不正な行為によって、正規の磁気カードのカードデータが取得される恐れがある。
【０００９】
本発明は、この問題を解決して、データ複写によって作成された不正なカードの利用を防止でき、正規の磁気カードのカードデータが不正に取得されないようにしたＣＡＴ端末機を提供することを目的としている。
【００１０】
【課題を解決するための手段】
前記目的を達成するために、本発明の請求項１のＣＡＴ端末機は、
磁気カードをカード挿入口から筐体内に受け入れ、前記磁気カードに磁気記録されているカードデータを磁気ヘッドを用いて読み取り、該読み取ったカードデータを含む情報を通信回線を介して所定のセンタに送信して認証を受けるＣＡＴ端末機において、
前記筐体内に受け入れた磁気カードの表面にエンボス加工によって凹凸表示されている文字列の長辺側エッジから所定距離の凹凸を検出する凹凸センサと、
前記凹凸センサからの信号に基づいて、前記磁気カードの前記長辺側エッジから所定距離の凹凸の特徴を表す特徴データとして、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータを検出する特徴データ検出手段と、
前記磁気ヘッドを用いて読み取ったカードデータに前記特徴データ検出手段によって検出された特徴データと一致するデータが含まれているか否かを判定する判定手段とを有し、
前記判定手段によって前記カードデータに特徴データと一致するデータが含まれていると判定されたときのみ、前記所定のセンタに対して認証のための通信を行うように構成されている。
【００１１】
また、本発明の請求項２のＣＡＴ端末機は、請求項１のＣＡＴ端末機において、
前記磁気ヘッドのケース内に、該磁気ヘッドの本体部から出力される信号を受けて前記磁気カードに記録されているカードデータを復調する復調手段と、該復調手段によって復調されたカードデータを暗号化して前記ケースの外へ出力する暗号化手段とが設けられており、
前記暗号化手段によって暗号化されたデータを復号して前記判定手段に出力する復号手段が、少なくとも前記判定手段とともに１チップ化された集積回路によって形成されている。
【００１２】
【発明の実施の形態】
以下、図面に基づいて本発明の実施の形態を説明する。
図１は、本発明を適用したＣＡＴ端末機が読み取る磁気カード２０の外観を示している。
【００１３】
図１に示しているように、外形がほぼ長方形状に形成された合成樹脂製の磁気カード２０の一面側２０ａには、エンボス加工によって他面２０ｂ側から押し出すようにして凹凸で表示された文字列（文字、数字、記号を含むものとする）２１が、一方の長辺側のエッジ２０ｃと平行に且つそのエッジ２０ｃから所定の距離範囲に形成されている。
【００１４】
この文字列２１は、例えばクレジット番号、個人名称等のようにそれぞれの磁気カードに固有のものであり、また、突出する高さや幅等の寸法もカード個々でばらつきがある。
【００１５】
また、磁気カード２０の両面（またはどちらか片面でもよい）には、データを磁気記録するための磁気記録帯２２、２３が、長辺側のエッジ２０ｃと平行に形成されている。
【００１６】
磁気カード２０の一面２０ａ側に設けられた磁気記録帯２２には、クレジット番号等の認証用のデータＤａが記憶され、他面２０ｂ側には、長辺側のエッジ２０ｃから所定距離Ｌｒの位置をそのエッジ２０ｃと平行に通過する線Ｒと交わる文字列２１の凹凸の特徴を表す特徴データＤｂが記憶されている。
【００１７】
この特徴データＤｂとしては、線Ｒと交わる文字列２１の隣り合う凸部分や凹部分の長さの比較結果を２値化して得られるデータ、隣合う凸部分の高さの比較結果を２値化して得られるデータ、隣合う凸部分や凹部分の長さ、高さの差や比を２値化して得られるデータ、あるいはこれらのデータを組み合わせたデータを用いることができる。
【００１８】
例えば、線Ｒと交わる文字列２１の隣り合う凸部分の長さの比較結果を２値化して特徴データＤｂを求める場合について説明すると、エンボス加工による文字列２１のうち、線Ｒと交わる部分の凹凸の状態が図２の（ａ）になっている場合、凸部２１ａのうち最初の凸部の長さＬａ１より２番目の凸部の長さＬａ２が長いので、図２の（ｂ）のように、特徴データＤｂの第ｌビット目を「１」とし、この２番目の凸部の長さＬａ２より３番目の凸部の長さＬａ３が短いので、特徴データＤｂの第２ビット目を「０」とする。以下同様に凸部２１ａの長さの比較結果を２値化することで、線Ｒと交わる、即ち、エッジ２０ｃから所定距離Ｌｒにおける文字列２１の凹凸の特徴を表す特徴データＤｂが得られる。
【００１９】
なお、図２の（ｃ）は、凹部２１ｂの長さＬｂ１、Ｌｂ２、Ｌｂ３、…の比較結果を２値化した場合に得られる特徴データＤｂを示している。また、図示しないが、凸部とその凸部に隣合う凹部との長さの比較結果を２値化して特徴データＤｂを得るようにしてもよい。
【００２０】
また、上記のように、隣合う凸部や凹部の長さの比較結果を２値化して特徴データＤｂを得る場合、長さがほぼ等しい場合（長さの差が許容範囲内の場合）には、データ「０」、「１」のうち、予め決められた一方のデータを特徴データＤｂのビットデータとする。
【００２１】
図３は、上記の磁気カード２０に対応する実施形態のＣＡＴ端末機３０の外観を示し、図４はその内部構成を示している。
【００２２】
図３に示しているように、このＣＡＴ端末機３０の筐体３１の前面側には、磁気カード２０を挿入するためのカード挿入口３２が設けられ、筐体３１の上面側には、テンキー等を含む複数のキー３３、表示器３４および後述するプリンタ６２の排紙口３５が設けられている。
【００２３】
また、筐体３１の内部には、図４に示しているように、カード挿入口３２と連続し、カード挿入口３２から挿入された磁気カード２０を筐体３１内で略水平に搬送させるための搬送路３６が形成されている。
【００２４】
この搬送路３６の前端および後端には、磁気カードのエッジを検出するためのカードセンサ３７、３８が設けられている。
【００２５】
また、搬送路３６には、磁気カードを両面から挟んだ状態で搬送路３６に沿って搬送させるためのローラ３９、４０が複数組設けられ、例えばその下方側のローラ３９（上方側のローラ４０でもよい）が図示しないベルト等によって同方向に回転するように連結され、そのうちの少なくとも一つのローラ３０がモータを含む回転駆動装置４１に連結されている。
【００２６】
搬送路３６の中間部で磁気カード２０の磁気記録帯２２、２３が通過する位置には、２つの磁気ヘッド４５Ａ、４５Ｂが互いに対向するように配置されている。
【００２７】
２つの磁気ヘッド４５Ａ、４５Ｂは、ギャップを有するコア４５ａにコイル４５ｂが巻かれたヘッド本体部を、磁気シールド用の金属製のケース４５ｃ内に収容しており、このケース４５ｃの表面に露呈するコア４５ａのギャップ部分で磁気カード２０の磁気記録帯２２の磁気変化を検出し、その磁気変化に対応する信号をコイル４５ｂから出力する。
【００２８】
磁気ヘッド４５Ａ、４５Ｂの各コイル４５ｂから出力される信号は復調回路４７Ａ、４７Ｂにそれぞれ入力される。復調回路４７Ａ、４７Ｂは、コイル４５ｂから出力される信号に基づいて磁気カード２０に磁気記録されているカードデータＤａ、Ｄｂをそれぞれ復調する。
【００２９】
このカードデータの復調は、磁気カード２０に対するデータの記録方式に対応しており、例えばその記録方式が一般的なＭＦＭ方式（Ｆ２Ｆ方式ともいう）の場合には、磁気ヘッド４５Ａ、４５Ｂのヘッド本体部（コア４５ａ、コイル４５ｂ）からの出力信号を増幅し、その信号の半サイクル周期が基準周期に近いか基準周期の１／２に近いかを判定することによってカードデータを復調する。
【００３０】
復調回路４７Ａ、４７Ｂによって復調されたデータは暗号化回路４８Ａ、４８Ｂにそれぞれ入力される。暗号化回路４８Ａ、４８Ｂは、復調回路４７Ａ、４７Ｂによって復調されたデータを所定の暗号化関数と鍵データとによって暗号化する。この暗号化は、例えば、暗号化対象データに対する鍵データとの排他的論理和演算処理、暗号化対象データに対する鍵データによって指定されたビット位置の置換処理、暗号化対象データに対する鍵データによって指定されたビット数のシフト処理の組み合わせによって行う。
【００３１】
上記復調回路４７Ａおよび暗号化回路４８Ａは、図４に示しているように磁気ヘッド４５Ａのヘッド本体部とともに磁気ヘッド４５Ａのケース４５ｃ内に収容され、ケース４５ｃの内部の隙間には合成樹脂が充填されており、暗号化回路４８Ａによって暗号化されたデータがケース４５ｃの外部へ出力される。
【００３２】
また、復調回路４７Ｂおよび暗号化回路４８Ｂも磁気ヘッド４５Ｂのヘッド本体部とともに磁気ヘッド４５のケース４５ｃ内に収容され、ケース４５ｃの内部の隙間には合成樹脂が充填されており、暗号化回路４８Ｂによって暗号化されたデータがケース４５ｃの外部へ出力される。
【００３３】
したがって、ケース４５ｃから外部に出力されるデータを不正に取得しても、内部の暗号化回路４８Ａ、４８Ｂの暗号化関数や鍵データがわからないので、磁気カード２０に記録されているカードーデータを容易に知ることはできない。
【００３４】
なお、図示していないが、磁気ヘッド４５Ａ、４５Ｂの復調回路４７Ａ、４７Ｂおよび暗号化回路４８Ａ、４８Ｂには、ケース４５ｃの外部から電源が供給できるようになっている。
【００３５】
また、搬送路３６の近傍には、この搬送路３６内を移動する磁気カード２０のエンボス加工によって凹凸で表示される文字列２１の長辺側のエッジ２０ｃから所定距離Ｌｒの位置（線Ｒと交わる位置）の凹凸を検出する凹凸センサ５０が配置されている。
【００３６】
この凹凸センサ５０は、非接触式、接触式のいずれでもよい。
例えば非接触式の場合には、図５に示す凹凸センサ５０のように、磁気カード２０の前記線Ｒの位置に光を照射する投光器５１と、投光器５１から磁気カード２０の一面２０ａ側の平坦部（凹部２１ｂを含む）に照射されて反射する光を集光するレンズ５２と、レンズ５２で集光された光を受光する受光器５３とで構成されており、投光器５１からの光が磁気カード２０の平坦部に照射している場合にはレンズ５２が集光した光が受光器５３で受光され、投光器５１からの光が磁気カード２０の凸部２１ａに照射している場合にはレンズ５２が集光した光が受光器５３の受光面から外れるようにし、受光器５３の受光信号を２値化して出力する。
【００３７】
また、接触式の場合には、図示しないが磁気カード２０の前記線Ｒの位置に接触子の一端側を接触させ、磁気カード２０の平坦部に接触しているときと凸部２１ａに接触しているときの接触子の位置変化を光学センサ、圧力センサ、スイッチ等で検出し、その検出信号を出力する。
【００３８】
カードセンサ３７、３８、暗号化回路４８および凹凸センサ５０の出力は、処理部５５に入力される。
【００３９】
処理部５５は、１チップ化されたマイクロプロセッサによって構成されており、その機能をブロック化すると、図４に示しているように、搬送制御手段５６、復号手段５７、特徴データ検出手段５８、判定手段５９および認証処理手段６０を備えている。
【００４０】
この処理部５５には、複数のキー３３、表示器３４、回線インタフェース６１、プリンタ６２が接続されており、回線インタフェース６１および通信回線５を介して所定のセンタとの間でキー３３からの入力情報やカードデータ等を含む情報の授受を行い、表示器３４にキー３３の入力情報やセンタとの通信に関わる情報等を表示し、プリンタ６２から決済結果等が印字された紙を出力させる。
【００４１】
図６は、処理部５５の処理手順を示すフローチャートである。以下、このフローチャートに基づいてこのＣＡＴ端末機３０の動作を説明する。
【００４２】
磁気カード２０がカード挿入口３２に挿入されて、その先端がカードセンサ３７で検知されると、搬送制御手段５６は、各ローラ３９が引込方向に回転するように回転駆動装置４１を駆動し、磁気カード２０を搬送路３６に沿って奥側に搬送させる（Ｓ１、Ｓ２）。
【００４３】
そして、この磁気カード２０の引込搬送が開始されると、特徴データ検出手段５８は凹凸センサ５０からの信号の取得を開始し、復号手段５７は、暗号化回路４８Ａ、４８Ｂからのデータの取得を開始する（Ｓ３）。
【００４４】
そして、磁気カード２０の先端がカードセンサ３８で検出されると、搬送制御手段５６は、回転駆動装置４１を停止させ、磁気カード２０の搬送を一時停止する（Ｓ４、Ｓ５）。
【００４５】
ここで、特徴データ検出手段５８は、凹凸センサ５０からの信号に基づいて、磁気カード２０の表面にエンボス加工によって凹凸で表示された文字列の長辺側エッジ２０ｃから所定距離の凹凸の特徴データＤｂ′を求める（Ｓ６）。
【００４６】
この特徴データＤｂ′は、前記したように、線Ｒと交わる文字列２１の隣り合う凸部や凹部の長さの比較結果を２値化して得られるデータ、隣合う凸部の高さの比較結果を２値化して得られるデータ、隣合う凸部や凹部の長さ、高さの差や比を２値化して得られるデータ、あるいはこれらのデータを組み合わせたデータ等を用いることができるが、磁気カード２０の磁気記録帯２３に記録されている特徴データＤｂと同一種類のものを検出する。
【００４７】
例えば、前記したように、隣り合う凸部の長さの比較結果に基づいて特徴データを検出する場合、図７の（ａ）に示すように磁気カード２０の線Ｒと交わる部分の凹凸の移動にともなって凹凸センサ５０から図７の（ｂ）に示す信号が出力されたとき、特徴データ検出手段５８は、凹凸センサ５０の出力信号がハイレベルの時間Ｔ（１）、Ｔ（２）、Ｔ（３）、…を順次検出して比較し、図７の（ｃ）のように、検出した時間Ｔ（ｎ）がその直前に検出した時間Ｔ（ｎ−１）より長いときデータ「１」、等しいか短いときデータ「０」を出力する。
【００４８】
ここで、各時間Ｔ（１）、Ｔ（２）、Ｔ（３）、…は、磁気カード２０の移動速度がほぼ一定であれば、各凸部２１ａの長さにほぼ比例しているから、この時間を比較することで各凸部の長さを間接的に比較していることになる。なお、この特徴データＤｂ′の検出処理は、磁気カード２０の引込搬送中に行ってもよい。
【００４９】
また、復号手段５７は取得した暗号化データを復号して磁気カード２０に記録されていたカードデータＤａ、Ｄｂを求める（Ｓ７）。なお、この復号処理は磁気カード２０の引込搬送中に行ってもよい。
【００５０】
そして、判定手段５９は、特徴データ検出手段５８によって検出された特徴データＤｂ′と復号手段５７によって求められたカードデータのうちの特徴データＤｂとが一致するか否かを判定する（Ｓ８）。
【００５１】
ここで、検出した特徴データＤｂ′が復号した特徴データＤｂに一致（あるいはほぼ一致）する場合には、この磁気カード２０は正しいカードであるとし、認証処理手段６０によるカードデータの認証や決済等の処理（前記センタとの通信を含む）がなされた後、搬送制御手段５６によって磁気カード２０が返却される（Ｓ９、Ｓ１０）。
【００５２】
また、検出した特徴データＤｂ′と復号した特徴データＤｂとが大きく相違する場合には、この磁気カードが不正に作成されたものとし、前記認証処理を行わずにその磁気カードを返却する。
【００５３】
なお、特徴データＤｂ′、Ｄｂが一致しない場合に、カードデータの読み取りと特徴データの検出とを所定回数まで繰り返して一致判定を行い（前記Ｓ２〜Ｓ８の処理を繰り返す）、特徴データが一致した時点で、その磁気カードを正しいカードとして処理し、所定回数連続して一致しない場合にその磁気カードを不正に作成されたカードとして返却するようにしてもよい。
【００５４】
このように、実施形態のＣＡＴ端末機３０では、磁気カード２０のエンボス加工によって表示された文字列の凹凸の特徴を検出し、その特徴データＤｂ′とカードデータに含まれる特徴データＤｂとの一致を判定し、一致したときのみセンタとの間の認証処理を行うようにしているので、正規のカードのデータを他のカードに複写して作成された不正なカードの利用を確実に防止できる。
【００５５】
また、磁気ヘッド４５Ａ、４５Ｂのケース４５ｃ内に復調回路４７Ａ、４７Ｂおよび暗号化回路４８Ａ、４８Ｂがそれぞれ収容されており、復号手段５７と判定手段５９とを含む処理部５５が１チップ化された単一のプロセッサ（集積回路）によって構成されているので、ＣＡＴ端末機３０の筐体内への不正な行為で磁気カードのカードデータが不正に取得される恐れがなく、カードデータの安全性が格段に高くなる。
【００５６】
なお、前記ＣＡＴ端末機３０では、特徴データＤｂを読み取るための磁気ヘッド４５Ｂのケース内に復調回路４７Ｂと暗号化回路４８Ｂを収容して、特徴データに対する安全性も確保するようにしているが、たとえ特徴データＤｂが不正に取得されて他のカードに複写されたとしても、そのカードのエンボスの凹凸の特徴と複写された特徴データとが一致する確率は極めて低いので、そのカードは不正カードとして容易に識別することができる。
【００５７】
したがって、図８に示すＣＡＴ端末機７０のように、特徴データＤｂを読み取るための磁気ヘッド４５Ｂには暗号化回路４８Ｂを設けずに復調回路４７Ｂのみを収容して（あるいは復調回路４７Ｂを磁気ヘッド４５Ｂの外部に設けてもよい）、その復調回路４７Ｂで復調された特徴データＤｂを判定手段５９に入力して、特徴データの一致判定を行うように構成してもよい。
【００５８】
また、ＣＡＴ端末機自体に対する不正ができない状況であれば、図９に示すＣＡＴ端末機８０のように、磁気ヘッド４５Ａ、４５Ｂから出力される信号をそのケース４５ｃの外部に配置された復調回路４７Ａ、４７Ｂで受けてカードデータをそれぞれ復調し、この復調したデータを判定手段５９に直接入力して特徴データの一致判定を行うようにしてもよい。
【００５９】
また、この実施形態では、認証用のデータＤａとエンボスの特徴データＤｂとがそれぞれ異なる磁気記録体２２、２３に記録されている磁気カード２０に対応したＣＡＴ端末機２０について説明したが、一つの磁気記録体に認証用のデータＤａと特徴データＤｂとが記録されている磁気カードに対する認証処理を行う場合には、磁気ヘッド４５Ａ、４５Ｂの一方のみ（他方は省略可能）を用いてカードデータＤａ、Ｄｂを読み取り、この読み取ったデータＤａ、Ｄｂに対する処理を前記同様に行えばよい。
【００６０】
【発明の効果】
以上説明したように、本発明の請求項１のＣＡＴ端末機は、
磁気カードをカード挿入口から筐体内に受け入れ、前記磁気カードに磁気記録されているカードデータを磁気ヘッドを用いて読み取り、該読み取ったカードデータを含む情報を通信回線を介して所定のセンタに送信して認証を受けるＣＡＴ端末機において、
前記筐体内に受け入れた磁気カードの表面にエンボス加工によって凹凸表示されている文字列の長辺側エッジから所定距離の凹凸を検出する凹凸センサと、
前記凹凸センサからの信号に基づいて、前記磁気カードの前記長辺側エッジから所定距離の凹凸の特徴を表す特徴データとして、前記線と交わる文字列の隣合う凸部分同士または隣合う凹部分同士の長さまたは高さの比較結果を２値化して得られるデータ、隣合う凸部分同士または隣合う凹部分同士の長さまたは高さの差あるいは比を２値化して得られるデータ、あるいは、それらのデータを組合せたデータを検出する特徴データ検出手段と、
前記磁気ヘッドを用いて読み取ったカードデータに前記特徴データ検出手段によって検出された特徴データと一致するデータが含まれているか否かを判定する判定手段とを有し、
前記判定手段によって前記カードデータに特徴データと一致するデータが含まれていると判定されたときのみ、前記所定のセンタに対して認証のための通信を行うように構成されている。
【００６１】
このため、正規のカードのデータを他のカードに複写して作成された不正なカードの利用を確実に防止できる。
【００６２】
また、本発明の請求項２のＣＡＴ端末機は、請求項１のＣＡＴ端末機において、
前記磁気ヘッドのケース内に、該磁気ヘッドの本体部から出力される信号を受けて前記磁気カードに記録されているカードデータを復調する復調手段と、該復調手段によって復調されたカードデータを暗号化して前記ケースの外へ出力する暗号化手段とが設けられており、
前記暗号化手段によって暗号化されたデータを復号して前記判定手段に出力する復号手段が、少なくとも前記判定手段とともに１チップ化された集積回路によって形成されている。
【００６３】
このため、磁気カードに記録されているカードデータを不正に取得することができず、カードデータの安全性が格段に高くなる。
【図面の簡単な説明】
【図１】本発明の実施形態のＣＡＴ端末機が読み取る磁気カードの外観を示す図
【図２】磁気カードのエンボス加工による凹凸と特徴データとの関係を示す図
【図３】本発明の実施形態の外観を示す斜視図
【図４】本発明の実施形態の内部構成を示す図
【図５】本発明の実施形態の要部の構成例の概略図
【図６】本発明の実施形態の要部の処理手順を示すフローチャート
【図７】本発明の実施形態の要部の動作を説明するための図
【図８】本発明の他の実施形態の構成を示す図
【図９】本発明の他の実施形態の構成を示す図
【図１０】従来装置の構成を示す図
【符号の説明】
５  通信回線
２０  磁気カード
２０ａ  一面
２０ｂ  他面
２０ｃ  長辺側エッジ
２１  エンボス加工による文字列
２２、２３  磁気記録帯
３０、７０、８０  ＣＡＴ端末機
３１  筐体
３２  カード挿入口
３３  キー
３４  表示器
３５  排紙口
３６  搬送路
３７、３８  カードセンサ
３９、４０  ローラ
４１  回転駆動装置
４５Ａ、４５Ｂ  磁気ヘッド
４５ａ  コア
４５ｂ  コイル
４５ｃ  ケース
４７Ａ、４７Ｂ  復調回路
４８Ａ、４８Ｂ  暗号化回路
５０  凹凸センサ
５１  投光器
５２  レンズ
５３  受光器
５５  処理部
５６  搬送制御手段
５７  復号手段
５８  特徴データ検出手段
５９  判定手段
６０  認証処理手段
６１  回線インタフェース
６２  プリンタ
【図１】
0004746745.tif 000002
【図２】
0004746745.tif 000003
【図３】
0004746745.tif 000004
【図４】
0004746745.tif 000005
【図５】
0004746745.tif 000006
【図６】
0004746745.tif 000007
【図７】
0004746745.tif 000008
【図８】
0004746745.tif 000009
【図９】
0004746745.tif 000010
【図１０】
0004746745.tif 000011